【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  帯電部材に対して接触帯電制御を行う帯電装置を有する電子写真方式の画像形成装置において、
前記帯電装置は、
前記帯電部材に印加する正弦波交流電圧を発生する高圧トランスと、
前記高圧トランスの１次側に接続したインダクタンス素子であって、前記正弦波交流電圧のピーク電圧が放電電圧以上になったときに瞬間的に発生する電流を抑制するインダクタンス素子と、
前記帯電部材に流れる交流電流量を検出する電流検出手段と、
前記帯電部材に印加された交流印加電圧のピーク電圧値を検出する電圧検出手段と
を有することを特徴とする画像形成装置。
【請求項２】  帯電部材に対して接触帯電制御を行う帯電装置を有する電子写真方式の画像形成装置において、
前記帯電装置は、
前記帯電部材に印加する正弦波交流電圧を発生する高圧トランスと、
前記高圧トランスの２次側に接続したインダクタンス素子であって、前記正弦波交流電圧のピーク電圧が放電電圧以上になったときに瞬間的に発生する電流を抑制するインダクタンス素子と、
前記帯電部材に流れる交流電流量を検出する電流検出手段と、
前記帯電部材に印加された交流印加電圧のピーク電圧値を検出する電圧検出手段と
を有することを特徴とする画像形成装置。
【請求項３】  帯電部材に対して接触帯電制御を行う帯電装置を有する電子写真方式の画像形成装置において、
前記帯電装置は、
前記帯電部材に印加する正弦波交流電圧を発生する高圧トランスであって、１次巻線によって生成される複数の磁気ループのうちの１つに２次巻線を配置した高圧トランスと、
前記帯電部材に流れる交流電流量を検出する電流検出手段と、
前記帯電部材に印加された交流印加電圧のピーク電圧値を検出する電圧検出手段と
を有することを特徴とする画像形成装置。
【請求項４】  前記電流検出手段により検出された検出値が所定値になるように、前記高圧トランスの出力を制御する定電流制御手段を有し、
前記高圧トランスの出力が前記帯電部材に前記正弦波交流電圧を印加したときの像担持体への放電開始電圧Ｖｔｈ以下の場合の交流電圧−交流電流関数ｆ１（Ｖ）と、前記高圧トランスの出力が前記放電開始電圧Ｖｔｈ以上の場合の交流電圧−交流電流関数ｆ２（Ｖ）とを比較することにより、ｆ２（Ｖ）−ｆ１（Ｖ）＝Ｋ（Ｋ：定数）となる交流電流値Ｉｃを決定し、画像形成時に前記定電流制御手段により前記帯電部材に交流電流値Ｉｃを印加することを特徴とする請求項１または３のいずれかに記載の画像形成装置。
【請求項５】  前記電圧検出手段で検出された検出値が所定値になるように前記高圧トランスの出力を制御する定電圧制御手段を有し、
前記高圧トランスの出力が前記帯電部材に前記正弦波交流電圧を印加したときの像担持体への放電開始電圧Ｖｔｈ以下の場合の交流電圧−交流電流関数ｆ１（Ｖ）と、前記高圧トランスの出力が前記放電開始電圧Ｖｔｈ以上の場合の交流電圧−交流電流関数ｆ２（Ｖ）とを比較することにより、ｆ２（Ｖ）−ｆ１（Ｖ）＝Ｋ（Ｋ：定数）となる交流電圧値Ｖｃを決定し、画像形成時に前記定電圧制御手段により前記帯電部材に交流電圧値Ｖｃを印加することを特徴とする請求項１または３のいずれかに記載の画像形成装置。
【手続補正２】
【補正対象書類名】明細書
【補正対象項目名】００１６
【補正方法】変更
【補正の内容】
【００１６】
【課題を解決するための手段】
請求項１の発明は、帯電部材に対して接触帯電制御を行う帯電装置を有する電子写真方式の画像形成装置において、帯電装置は、帯電部材に印加する正弦波交流電圧を発生する高圧トランスと、前記高圧トランスの１次側に接続したインダクタンス素子であって、正弦波交流電圧のピーク電圧が放電電圧以上になったときに瞬間的に発生する電流を抑制するインダクタンス素子と、帯電部材に流れる交流電流量を検出する電流検出手段と、帯電部材に印加された交流印加電圧のピーク電圧値を検出する電圧検出手段とを有することを特徴とする。
【手続補正３】
【補正対象書類名】明細書
【補正対象項目名】００３２
【補正方法】変更
【補正の内容】
【００３２】
ここで、帯電交流電圧のレベルが放電開始電圧を超えると、ニップ電流に加えて、放電電流Ｉｓが発生し、ニップ電流に放電電流が加算された電流が帯電ローラ２に流れる。このとき、高圧トランス２０４の一次側電流が瞬時的に急激に増大しても、チョークコイル２９９の両端で電圧ドロップが生じるから、高圧トランス２０４の入力電圧がドロップすることになり、その結果として、チョークコイル２９９により、帯電ローラ２に給電される帯電交流電圧の波形が整形され、印加する帯電高電圧に対する放電電流の特性が変化する。ピーク電圧Ｖｂ帯電交流電圧を印加した場合のニップ電流と放電電流の波形を図３（Ｃ）に示す。チョークコイル２９９を挿入したことにより、帯電交流電圧波形の歪みが増大し、放電電流Ｉｓのレベルも増大する。放電電流Ｉｓは帯電交流電圧の歪みが発生する時間τｂと同じ期間で流れる。
【手続補正４】
【補正対象書類名】明細書
【補正対象項目名】００６７
【補正方法】変更
【補正の内容】
【００６７】
〔実施態様１〕  帯電部材に対して接触帯電制御を行う帯電装置を有する電子写真方式の画像形成装置において、
帯電装置は、
帯電部材に印加する正弦波交流電圧を発生する高圧トランスと、
高圧トランスの１次側に接続したインダクタンス素子であって、正弦波交流電圧のピーク電圧が放電電圧以上になったときに瞬間的に発生する電流を抑制するインダクタンス素子と、
帯電部材に流れる交流電流量を検出する電流検出手段と、
帯電部材に印加された交流印加電圧のピーク電圧値を検出する電圧検出手段と
を有することを特徴とする画像形成装置。
【手続補正５】
【補正対象書類名】明細書
【補正対象項目名】００６８
【補正方法】変更
【補正の内容】
【００６８】
〔実施態様２〕  帯電部材に対して接触帯電制御を行う帯電装置を有する電子写真方式の画像形成装置において、
帯電装置は、
帯電部材に印加する正弦波交流電圧を発生する高圧トランスと、
高圧トランスの２次側に接続したインダクタンス素子であって、正弦波交流電圧のピーク電圧が放電電圧以上になったときに瞬間的に発生する電流を抑制するインダクタンス素子と、
帯電部材に流れる交流電流量を検出する電流検出手段と、
帯電部材に印加された交流印加電圧のピーク電圧値を検出する電圧検出手段と
を有することを特徴とする画像形成装置。
【手続補正６】
【補正対象書類名】明細書
【補正対象項目名】００６９
【補正方法】変更
【補正の内容】
【００６９】
〔実施態様３〕  帯電部材に対して接触帯電制御を行う帯電装置を有する電子写真方式の画像形成装置において、
帯電装置は、
帯電部材に印加する正弦波交流電圧を発生する高圧トランスであって、１次巻線によって生成される複数の磁気ループのうちの１つに２次巻線を配置した高圧トランスと、
帯電部材に流れる交流電流量を検出する電流検出手段と、
帯電部材に印加された交流印加電圧のピーク電圧値を検出する電圧検出手段と
を有することを特徴とする画像形成装置。
【手続補正７】
【補正対象書類名】明細書
【補正対象項目名】００７０
【補正方法】変更
【補正の内容】
【００７０】
〔実施態様４〕  実施態様１または３のいずれかにおいて、電流検出手段により検出された検出値が所定値になるように、高圧トランスの出力を制御する定電流制御手段を有し、
帯電部材に正弦波交流電圧を印加したときの像担持体への放電開始電圧Ｖｔｈ以下の場合の交流電圧−交流電流関数ｆ１（Ｖ）と、交流電圧が前記放電開始電圧Ｖｔｈ以上の場合の交流電圧−交流電流関数ｆ２（Ｖ）とを比較することにより、ｆ２（Ｖ）−ｆ１（Ｖ）＝Ｋ（定数）となる交流電流値Ｉｃを決定し、画像形成時に前記定電流制御手段により前記帯電部材に交流電流値Ｉｃを印加することを特徴とする画像形成装置。
【手続補正８】
【補正対象書類名】明細書
【補正対象項目名】００７１
【補正方法】変更
【補正の内容】
【００７１】
〔実施態様５〕  実施態様１または３のいずれかにおいて、電圧検出手段で検出された検出値が所定値になるように高圧トランスの出力を制御する定電圧制御手段を有し、
帯電部材に正弦波交流電圧を印加したときの像担持体への放電開始電圧Ｖｔｈ以下の場合の交流電圧−交流電流関数ｆ１（Ｖ）と、交流電圧が前記放電開始電圧Ｖｔｈ以上の場合の交流電圧−交流電流関数ｆ２（Ｖ）とを比較することにより、ｆ２（Ｖ）−ｆ１（Ｖ）＝Ｋ（定数）となる交流電圧値Ｖｃを決定し、画像形成時に前記定電圧制御手段により前記帯電部材に交流電圧値Ｖｃを印加することを特徴とする画像形成装置。